(57)【要約】【課題】  フィルムを抑えるスプリングの妄動・脱落を防止して、強風などからフィルムが留材より脱出するのを防止する。【解決手段】  両サイドを屈曲して上端に幅狭の開口部を形成した留材と、留材の溝部に取り付けられてフィルムを圧接固定する波形状のスプリングと、スプリングの上面に臨む脱落防止具からなり、脱落防止具が、留材の両側溝に介入する楔部を形成した弾性体と、弾性体の空口を拡開して楔部を留材の両側溝に押し付ける押込子で構成される。【選択図】図２
0003137852.tif 000002
【実用新案登録請求の範囲】
【請求項１】
両サイドを屈曲して上端に幅狭の開口部を形成した留材と、留材の溝部に取り付けられてフィルムを圧接固定する波形状のスプリングと、スプリングの上面に臨む脱落防止具で構成され、該脱落防止具が、留材の両側溝に介入する楔部を形成した弾性体と、弾性体の空口を拡開して楔部を留材の両側溝に押し付ける押込子からなることを特徴とするフィルム留材用脱落防止装置。
【請求項２】
脱落防止具における弾性体は平面Ｕ字形で基部に押込子が枢着され、該押込子が枢着部を支点に弾性体中央の空口を拡開する方向に介入することを特徴とする請求項１記載のフィルム留材用脱落防止装置。
【請求項３】
脱落防止具における弾性体は空口が貫通状で中央上面に押込子の取付孔があり、押込子の頭部を下圧すると押込子の下部が弾性体の空口を拡開することを特徴とする請求項１記載のフィルム留材用脱落防止装置。
【請求項４】
両サイドを屈曲して上端に幅狭の開口部を形成した留材と、留材の溝部に取り付けられてフィルムを圧接固定する波形状のスプリングと、スプリングの上面に臨む脱落防止具で構成され、該脱落防止具が、留材の両側溝に介入する掛止片と、留材の上面に配置され且つ締めネジを緊締すると掛止片とともに留材に固定される圧接片からなることを特徴とするフィルム留材用脱落防止装置。
【考案の詳細な説明】
【技術分野】
【０００１】  本考案は、ビニールハウスのフィルムを固定する留材においてフィルムの脱落を防止するフィルム留材用脱落防止装置に関する。
【背景技術】
【０００２】  構造簡易なビニールハウスは金属パイプ等により組み立てられ、骨組みに張設される被覆材としての透光性フィルムは、開口部が幅狭でシートを内面溝に沿って固着する留材が用いられ、留材にはフィルムの表面に密着する波形状の係止用スプリングが配されていてフィルムが留材より脱出しない工夫が施されている（例えば特許文献１参照）。また近年硬軟フィルムを固定することを目的に、留材を受け材と係止材で構成し、両者の間にフィルムを固定するようにした装置が提案されている（例えば特許文献２参照）。
【特許文献１】実公昭４８−３７７１５号公報
【特許文献２】特開２００５−３４８６９１号公報
【考案の開示】
【考案が解決しようとする課題】
【０００３】  特許文献２に記載のものは、受け材と係止材の両方を必要とするので材料費がその分余計にかゝるだけでなく、フィルムを介装後に長尺な両部材を抱着する作業を必要とするので多大な労力と時間を要し、また強風や振動等により係止材が受け材より脱出した場合、フィルムの張設に支障をきたすおそれと、その修復作業が容易でない等の懸念がある。【０００４】  その点特許文献１に記載のものはシンプルな構成であってフィルムの固定作業にも手間がかゝらないため今日まで広く実用に供されている。しかしながらこの技術は留材の内面溝に取り付けたフィルムを固定するためのスプリングが、強風などのあおりをうけるとフィルムとともに留材から脱落することがあるという問題点を有していた。【０００５】  本考案はこのような現状に鑑みて創案されたもので、現状のシンプルな留材を利用することができるため余分なコストをかけることなく実施でき、なおかつ簡単な手法により強風などによっても留材からスプリングが脱落しないためフィルムが確固保持されて張設状態に支障を生じることのないフィルム留材用脱落防止装置を提供しようとするものである。
【課題を解決するための手段】
【０００６】  すなわち本考案は、両サイドを屈曲して上端に幅狭の開口部を形成した留材と、留材の溝部に取り付けられてフィルムを圧接固定する波形状のスプリングと、スプリングの上面に臨む脱落防止具で構成され、該脱落防止具が、留材の両側溝に介入する楔部を形成した弾性体と、弾性体の空口を拡開して楔部を留材の両側溝に押し付ける押込子からなることを特徴としている。【０００７】  前記の脱落防止具における弾性体は平面Ｕ字形で基部に押込子が枢着され、該押込子が枢着部を支点に弾性体中央の空口を拡開する方向に介入することを特徴とする。【０００８】  また前記の脱落防止具における弾性体は、空口が貫通状で中央上面に押込子の取付孔があり、押込子の頭部を下圧すると押込子の下部が弾性体の空口を拡開することを特徴としている。【０００９】  而してまた本考案は、両サイドを屈曲して上端に幅狭の開口部を形成した留材と、留材の溝部に取り付けられてフィルムを圧接固定する波形状のスプリングと、スプリングの上面に臨む脱落防止具で構成され、該脱落防止具が、留材の両側溝に介入する掛止片と、留材の上面に配置され且つ締めネジを緊締すると掛止片とともに留材に固定される圧接片からなることを特徴とする。
【考案の効果】
【００１０】  本考案における留材とスプリングは従来品をそのまゝ使用できるため新たなものを製造する必要がなく、したがって余分な費用や手間がかゝらず経済的である。またスプリングとフィルムの脱落を防止する脱落防止具は合成樹脂の成形型等によって頗る容易且つ能率的に製造できるため多大な費用がかゝらない。【００１１】  脱落防止具は、弾性体と押込子、或いは掛止片と圧接片で構成され、いずれも構造がシンプルで複雑な取り付け作業を必要としないため熟練を要さずに誰もが取り扱いでき、また留材の長手方向に沿い適当な間隔をおいて取り付ければ済むので多くの時間・労力を要しない。【００１２】  脱落防止具がストッパーとなるので、スプリングが強風や振動を受けても留材から脱出することがなく、したがってフィルムは絶えずスプリングによる固定状態を維持するため従来のような脱落による面倒な修復作業も必要としない。
【考案を実施するための最良の形態】
【００１３】  図面を参照して本案実施の形態を説明すると、図１において、１は両サイド２を内方に屈曲し、先端に膨隆状の縁部３を外向きに設けた金属製の長尺な留材で、上端に幅狭の開口部４が形成され、開口部４より溝部５内に沿い透明のフィルム１０が介入配置され、フィルム１０上面にスプリング２０が密着している。【００１４】  スプリング２０は台形波形状の強靱な線条であり、両側が留材１の溝部５の両側溝６に弾力的に密着しており、フィルム１０を溝部５に圧接固定している。したがってスプリング２０が存在するため通常はフィルム１０が溝部５から脱落することはないが、スプリング２０が不測の事態により留材１からはずれるとフィルム１０も当然ながら留材１から脱落することとなる。なお留材１とスプリング２０の形体は既存のものと何ら異なることはなく、また留材１の使用個所、取付手段なども従来と変わることがないので、それらの詳細については図及び説明を省略する。【００１５】  図２は、弾性体４０と押込子５０からなる合成樹脂製の脱落防止具３０を示し、弾性体４０は平面ほゞ横Ｕ字形で弾力性を帯び、空口４１は収縮可能状態にあり、また弾性体４０の下端両側を突出させて楔部４２を形成してある。そして弾性体４０の基部４３に押込子５０の後端が枢着され、枢着部５１を支点に押込子５０は一定範囲を回動する。【００１６】  押込子５０の頭部５２は弾性体４０の上面幅とほゞ等しく、押込子５０が弾性体４０の空口４１に没入すると頭部５２が弾性体４０上面に密接する。而して脱落防止具３０を留材１に取り付けるには、押込子５０を起立させて弾性体４０をすぼめ、横幅を収縮して留材１の開口部４内に差し込む。差し込まれた弾性体４０は手を離すと横幅が元通りとなって下端両側の楔部４２が留材１の両側溝６に食い込む。そして枢着部５１を支点として押込子５０を回動し弾性体４０の空口４１内に押し込むと、頭部５２が弾性体４０の上面に密接するとともに空口４１は目一杯開口されて楔部４２が留材１の両側溝６に確実に係止し、脱落防止具３０は留材１に不動的に取り付けられるため強風や振動などによってフィルム１０に重圧がかゝっても留材１内のスプリング２０は脱落防止具３０により抑止されて脱出することがなく、したがってフィルム１０の取り付け状態は確固として保持される。なお上記した弾性片４０は、線材を折り曲げて形成するようにしてもよい。【００１７】  図３は脱落防止具３０の他の例を示すもので、弾性体４０′の空口４１′は貫通状で上部よりも下部が幅狭に形成され、また弾性体４０′の下端両側に楔部４２′が形成され、中央上面には押込子５０′の取付孔Ｈを設けてある。押込子５０′を弾性体４０′に押し込むと、空口４１′の下部が押込子５０′によって拡開するとともに押し込み極限位置で弾性体４０′の上面に押込子５０′の頭部５２′が密接する。この脱落防止具３０を留材１に取り付けるには、押込子５０′を緩めた状態で弾性体４０′を収縮して留材１の開口部４内に差し込み、下端両側の楔部４２′を両側溝６に食い込ませる。そして押込子５０′を取付孔Ｈに目一杯押し込んで空口４１′の幅狭の下部を押し広げると、楔部４２′が留材１の両側溝６に食い込むので脱落防止具３０は確��として留材１に固定され、したがって強風等によってフィルム１０に強い負荷がかゝってもスプリング２０は脱落防止具３０によって抑止されているため留材１から脱出することがなくフィルム１０の脱落が防止される。【００１８】  図４は掛止片６０と圧接片７０で構成した金属製の脱落防止具３０′を示すもので、掛止片６０は前後端に起立部６１を形成した金属製の矩形板であり、横幅が留材１の開口部４よりも広く、両端部６２が留材１の両側溝６に介入する。また圧接片７０は掛止片６０よりも横幅が広く、前後端に掛止片６０の起立部６１が係止する切欠７１があり、掛止片６０を留材１に固定する際の位置決めに支障が生じないようにしてある。圧接片７０の両端部７２はやゝ下向きに形成されて留材１の両サイド２の縁部３に密接する。【００１９】  掛止片６０の中央にはネジ孔６３があり、圧接片７０の挿孔７３から差し込んだ締めネジ８０を右回すると上昇するので、留材１内に掛止片６０を入れ、圧接片７０を留材１の上面に配置して締めネジ８０の頭部８１にスパナをあてがって回動すると、掛止片６０の両端部６２が留材１の両側溝６の上面、すなわち両サイド２の裏側に密着するとともに圧接片７０は両端部７２が留材１の両サイド２の縁部３を圧接し、締めネジ８０を緊締すると掛止片６０と圧接片７０の双方が近接してともに留材１に固定される。【００２０】  脱落防止具片３０′が留材１に固定されると、下方に位置するスプリング２０が妄動して留材１から脱出しようとしても、掛止片６０がその動きを抑止するためスプリング２０の動きは封じられてフィルム１０が脱落することはない。したがって強風などの圧力が加わってもフィルム１０の張設状態に影響はなく、当然ながら従来のように面倒な修復作業も必要としない。【００２１】  上記した脱落防止具３０、３０′は留材１の長手方向に沿って適当間隔を置いて設ければよく、取り付けが容易で作業に膨大な時間を必要としない点でビニールハウスにとり、この上ない裨益をもたらすのものといえる。なお脱落防止具３０等の材質、形状などは本考案の目的効果を奏する範囲において、前記の説明ないし図面と異なるとしても何ら本考案の実施の範疇から逸脱しないこと勿論である。
【図面の簡単な説明】
【００２２】
【図１】従来装置を示し、（ａ）は斜視図、（ｂ）は正面図である。
【図２】（ａ）は押込子が起立状態の斜視図、（ｂ）は押込子を弾性体の空口に押し込む途中の脱落防止具を示す斜視図、（ｃ）は脱落防止具を固定した本案装置の正面図である。
【図３】（ａ）は脱落防止具の他の例を示す斜視図、（ｂ）は脱落防止具を固定した本案装置の断面図である。
【図４】（ａ）は脱落防止具の変形例を示す斜視図、（ｂ）は断面図、（ｃ）は脱落防止具を固定した本案装置の正面図である。
【符号の説明】
【００２３】  １    留材
２    両サイド
３    縁部
４    開口部
５    溝部
６    両側溝
１０  フィルム
２０  スプリング
３０、３０′  脱落防止具
４０、４０′  弾性体
４１、４１′  空口
４２、４２′  楔部
５０、５０′  押込子
５１  枢着部
５２、５２′  頭部
Ｈ  取付孔
６０  掛止片
７０  圧接片
８０  締めネジ
【図１】
0003137852.tif 000003
【図２】
0003137852.tif 000004
【図３】
0003137852.tif 000005
【図４】
0003137852.tif 000006